(57)【要約】      （修正有）【課題】薄くて軽く嵩張らないため常に携行することができ、しかも広告宣伝用配布物としても利用できる手提袋パッケージを提供する。【解決手段】破断部を介して連結された一対の分割体２２，２２からなるパッケージ体２内に、一対の手提部３２，３２と袋本体３１とを備えた手提袋３が、折り畳まれた状態で格納されるとともに、一対の手提部３２，３２がそれぞれ対応する一対の分割体２２，２２と各分割体２２，２２の内側で連結され、パッケージ体が破断部において破断され一対の分割体２２，２２に分割されることにより、折り畳まれた手提袋３の袋本体３１がパッケージ体内から外部に放出されるように構成した。【選択図】図４
0003156029.tif 000002
【実用新案登録請求の範囲】
【請求項１】
破断部を介して連結された一対の分割体からなるパッケージ体内に、一対の手提部と袋本体とを備えた手提袋が、折り畳まれた状態で格納されるとともに、前記一対の手提部がそれぞれ対応する前記一対の分割体と該各分割体の内側で連結され、前記パッケージ体が前記破断部において破断され前記一対の分割体に分割されることにより、前記折り畳まれた手提袋の袋本体が前記パッケージ体内から外部に放出されることを特徴とする手提袋パッケージ。
【請求項２】
請求項１に記載の手提袋パッケージにおいて、
前記袋本体には、その開口周部に、相対向する一対の紐引出し口を備えた紐挿通部が設けられるとともに、該紐挿通部内に環状の紐体が挿通され、この紐体の、前記紐引出し口からそれぞれ引き出された部分がそれぞれ前記手提部とされ、これら手提部が引っ張られることにより前記紐体で前記袋本体の開口部が可逆的に引き絞られることを特徴とする手提袋パッケージ。
【請求項３】
請求項１又は２に記載の手提袋パッケージにおいて、
前記パッケージ体及び手提袋が生分解性プラスチックからなることを特徴とする手提袋パッケージ。
【請求項４】
請求項１〜３のいずれか一つに記載の手提袋パッケージにおいて、
前記パッケージ体の分割体は、それぞれ前記手提部から分離可能とされたことを特徴とする手提袋パッケージ。
【考案の詳細な説明】
【技術分野】
【０００１】
本考案は、携行に極めて便利で、また広告宣伝用の配布物としても好適な手提袋パッケージに関する。
【背景技術】
【０００２】
近時、環境問題に対する関心が高くなっている。このような状況下、例えば、買い物に使用される手提袋についても、各自が手提袋や買い物用バッグを持参することで、スーパーマーケットやコンビニエンスストアで配布される手提袋の使用量を減らす運動が盛んである。
【０００３】
ここで、買い物用の手提袋やバッグは、最初から買い物を目的として外出する場合には誰しも忘れずに携行するが、そうでない場合は忘れがちである。このため、出先や帰り道などで予定外の買い物をすることになった時など、店のレジで手提袋の配布を受けざるを得なくなり、せっかくの環境に対する日頃の心掛けが半減してしまうことになりかねない。
【０００４】
そのようなことを防ぐには、外出するとき常に買い物用の手提袋やバッグを携行すればよいことになるが、それらは折り畳みタイプのものであっても結構嵩張るため、敬遠されがちである。
【０００５】
そこで、携行に便利な買い物用手提袋として、例えば特許文献１に所載のような携帯用簡易買い物袋が提案されている。
【０００６】
この買い物袋は、携帯するときの持ち手となる２枚の板を重ね合せて箱になるように形成し、この持ち手を上下の蓋とし、この蓋の下方に袋体を接合するものであって、箱として携行しているときはタバコの箱程度であって、買い物をするときは、上下の蓋を開いて袋体を引き出して広げて物を入れ、蓋をそのまま持ち手として携行を便利にしたものである。そして袋の部分は布製であってもビニール製でも良く、何回も使えるような薄くて丈夫なシートとしている。
【０００７】
ところで、繁華街の街頭において、広告宣伝用の配布物として、チラシやビラなどより消費者へのアピール度が高いことから、ポケットティッシュが多用されている。
【先行技術文献】
【特許文献】
【０００８】
【特許文献１】実用新案登録第３０９０５４３号公報
【考案の概要】
【考案が解決しようとする課題】
【０００９】
しかしながら、特許文献１の買い物袋にあっては、袋体の収納に上蓋と下蓋とからなる箱体を使用するため、箱体の分だけ嵩張るといった問題があった。
【００１０】
また、箱体を構成する例えば紙材と、袋体を構成するビニール又は布といった２種類の材料が必要となるため、製造コストが嵩むといった問題もあった。
【００１１】
さらに、再使用のために袋体の底に底板を設けているため、その分製作が煩瑣であり、製造コストがより嵩むといった問題もあった。
【００１２】
また、携行時は箱体を呈するが、その箱体には持ち手となる穴が形成されているため、箱体の表面を広告宣伝用として用いるには面積が充分でないといった問題もあった。
【００１３】
一方、広告宣伝用の配布物として広く用いられているポケットティッシュは、今や多くの企業によって使用されているため、消費者へのアピール度は登場当初に比べて格段に落ちており、広告宣伝の効果がもはや期待できない状態にまでなっている。
【００１４】
そこで、本考案は、上記従来の問題点を解決すべく創案されたものであり、薄くて軽く嵩張らないため常に携行することができ、しかも広告宣伝用配布物としても利用できる手提袋パッケージを提供することを目的とするものである。
【課題を解決するための手段】
【００１５】
上記課題を解決するため、本考案に係る手提袋パッケージは、破断部を介して連結された一対の分割体からなるパッケージ体内に、一対の手提部と袋本体とを備えた手提袋が、折り畳まれた状態で格納されるとともに、前記一対の手提部がそれぞれ対応する前記一対の分割体と該各分割体の内側で連結され、前記パッケージ体が前記破断部において破断され前記一対の分割体に分割されることにより、前記折り畳まれた手提袋の袋本体が前記パッケージ体内から外部に放出される構成とした。
【００１６】
この特定事項により、全体として極めて薄く嵩張ることがないため、例えばズボンやスカートのポケットの中でさえ邪魔にならず、常に携行することができる。
【００１７】
したがって、急な買い物で手提袋が必要になったときでも対処できる。また、買い物用に限らず、例えば、犬の散歩で排泄物を処理するのにも使用することができる。さらに、航空機の客室で各座席の背もたれ背面のポケットに配備しておけば、乗客が気分が悪くなり嘔吐する際の吐瀉物受けとしても使用することができる。
【００１８】
また、パッケージ体の表面積が広いため、ここに広告宣伝のための印刷を施すことができる。したがって、これまでのポケットティッシュに比べて消費者の関心を強く惹くことでき、より大きな広告宣伝の効果を期待することができる。
【００１９】
さらに、使用に際しては、パッケージ体の両端部を摘んで引っ張り、パッケージ体の破断部を破断させるといった極めて簡単な操作で袋本体がパッケージ体内から外部に放出されるとともに、開封時に摘んだパッケージ体の分割体がそれぞれ手提部と連結されていることから、開封と同時に手提部を両手で持つことになるため、開封後にわざわざ手提部を探して掴みにいく必要がなく、すぐに使用を開始することができる。したがって、取扱性に優れている。
【００２０】
上記手提袋パッケージにおいて、前記袋本体には、その開口周部に、相対向する一対の紐引出し口を備えた紐挿通部が設けられるとともに、該紐挿通部内に環状の紐体が挿通され、この紐体の、前記紐引出し口からそれぞれ引き出された部分がそれぞれ前記手提部とされ、これら手提部が引っ張られることにより前記紐体で前記袋本体の開口部が可逆的に引き絞られるように構成されていてもよい。
【００２１】
この場合、紐体で袋本体の開口部を開閉することができるため、例えば、ペットの汚物や、乗り物内での吐瀉物など臭気を発するものの収容にも使用することができる。
【００２２】
また、上記手提袋パッケージにおいて、前記パッケージ体及び手提袋が生分解性プラスチックから製作されていてもよい。
【００２３】
この場合、街頭で広告宣伝用の配布物として配布され、受け取った人が路上で落としたり路上に捨てたりしても、全体が土に帰るため、環境に悪影響を与える心配がない。
【００２４】
さらに、上記手提袋パッケージにおいて、前記パッケージ体の分割体は、それぞれ前記手提部から分離可能とされていてもよい。
【００２５】
この場合、手提部を掴む際に分割体が邪魔になると感じた場合、分割体を手提部から分離することができるので、使用感を向上させることができる。
【考案の効果】
【００２６】
本考案によれば、薄くて軽く嵩張らないため常に携行することができ、しかも広告宣伝用配布物としても利用できる手提袋パッケージを提供することができる。
【図面の簡単な説明】
【００２７】
【図１】本考案の一実施の形態に係る手提袋パッケージの正面図である。
【図２】本考案の一実施の形態に係る手提袋パッケージの背面図である。
【図３】本考案の一実施の形態に係る手提袋パッケージの開封状態を示す正面図である。
【図４】本考案の一実施の形態に係る手提袋パッケージの使用状態を示す斜視図である。
【図５】本考案の一実施の形態に係る手提袋パッケージの手提袋の折り目を示す正面図である。
【図６】本考案の一実施の形態に係る手提袋パッケージの手提袋の折り畳み途中を、折り目を付記して示す正面図である。
【図７】本考案の一実施の形態に係る手提袋パッケージの手提袋の折り畳み途中を、折り目を付記して示す正面図であって、図６に示す状態からさらに折り畳んだ状態を示す。
【図８】本考案の一実施の形態に係る手提袋パッケージの製造工程の一例を模式的に示す概略斜視図である。
【図９】本考案の一実施の形態に係る手提袋パッケージにおいて分割体と手提部との連結状態の変形例を示す部分正面図である。
【考案を実施するための形態】
【００２８】
以下、本考案の実施の形態について、図面を参照して説明する。
【００２９】
本考案に係る手提袋パッケージ１は、図１〜図４に示すように、破断部２１を介して連結された一対の分割体２２，２２からなるパッケージ体２内に、一対の手提部３２，３２と袋本体３１とを備えた手提袋３が、折り畳まれた状態で格納されたものである。一対の手提部３２，３２は、それぞれ対応する一対の分割体２２，２２と該各分割体２２，２２の内側で連結されている。そして、図３に示すように、パッケージ体２が破断部２１において破断され一対の分割体２２，２２に分割されることにより、折り畳まれた手提袋３の袋本体３１が、図４に示すように、パッケージ体２内から外部に放出される。
【００３０】
ここで、上記袋本体３１には、図４に示すように、その開口周部に、相対向する一対の紐引出し口３３，３３を備えた紐挿通部３４が設けられるとともに、この紐挿通部３４内に環状の紐体３５が挿通されており、この紐体３５の、紐引出し口３３，３３からそれぞれ引き出された部分がそれぞれ手提部３２，３２とされている。よって、これら手提部３２，３２を引っ張ることにより、紐体３５で袋本体３１の開口部が可逆的に引き絞られる。
【００３１】
なお、手提部３２，３２の構成は上記した例に限るものではなく、例えば、袋本体３１の開口周部に紐挿通部３４を設けず、袋本体３１の開口部近傍に相互に別体とされた一対の紐体を対向取着してもよい。この場合、袋本体３１の開口部を図４に示すように手提部を引っ張ることで閉じることはできないが、手提袋としての機能は充分果たせるので、何ら不都合はない。
【００３２】
本考案の手提袋パッケージ１は、上記のような構成であるため、全体として極めて薄く嵩張ることがない。したがって、例えばズボンやスカートのポケットの中でさえ邪魔にならず、常に携行することができるから、急な買い物で手提袋が必要になったときでも対処できる。また、買い物用に限らず、例えば、犬の散歩で排泄物を処理するのにも使用することができる。さらに、航空機の客室で各座席の背もたれ背面のポケットに配備しておけば、乗客が気分が悪くなり嘔吐する際の吐瀉物受けとしても使用することができる。
【００３３】
また、パッケージ体２の表面積が広いため、ここに広告宣伝のための印刷（図１において○で例示する）２３を施すことができる。したがって、これまでのポケットティッシュに比べて消費者の関心を強く惹くことでき、より大きな広告宣伝の効果を期待することができる。さらに、図２に示すように、パッケージ体２の例えば背面にこの手提袋パッケージの開封方法や使用用途などを図示２４することもできるので、初めて手にした者にも容易に使用方法や用途を理解させることができる。したがって、広告宣伝用の配布物として採用しても、受け取った者を困惑させる虞がなく、かえってインパクトを与えることができ、広告宣伝の効果をより高めることができる。
【００３４】
また、使用に際しては、パッケージ体２の両端部を図３に示すように摘んで引っ張り、パッケージ体２の破断部２１を破断させるといった極めて簡単な操作で袋本体３１がパッケージ体２内から外部に放出されるとともに、開封時に摘んだパッケージ体２の分割体２２，２２がそれぞれ手提部３２，３２と連結されていることから、開封と同時に手提部３２，３２を両手で持つことになるため、開封後にわざわざ手提部３２，３２を探して掴みにいく必要がなく、すぐに使用を開始することができる。したがって、取扱性にも優れている。
【００３５】
ここで、上記手提袋パッケージ１にあっては、パッケージ体２及び手提袋３が生分解性プラスチックから製作されていてもよい。生分解性プラスチックは、土壌中や水中で、加水分解や生分解により、徐々に崩壊・分解が進行し、最終的に微生物の作用により無害な分解物となるプラスチックであり、市場において公知のものが任意に使用できる。なお、そのなかでも、ヒートシール性に優れたものが望ましい。
【００３６】
このように生分解性プラスチックで製作した場合、街頭で広告宣伝用の配布物として配布され、受け取った人が路上で落としたり路上に捨てたりしても、全体が土に帰るため、環境に悪影響を与える心配がない。
【００３７】
なお、上記手提袋パッケージ１においては、開封後に分割体２２，２２がそれぞれ手提部３２，３２と連結状態にあるが、例えば図９に示すように、分割体２２，２２を、それぞれ手提部３２，３２から分離できるようにしてもよい。
【００３８】
すなわち、図９（ａ）に示すように、分割体２２において、手提部３２との連結部２５の近傍に第２破断部２６を設けておく。そして、図９（ｂ）に示すように、この第２破断部２６を破断させることにより分割体２２の主要部２２ａを一旦連結部２５から引き離す。次いで、図９（ｃ）に示すように、連結部２５を分割体２２の主要部２２ａ内を潜らせることにより、分割体２２（正確には主要部２２ａ）を手提部３２から分離させる。
【００３９】
このような構成とした場合、手提部３２，３２を掴む際に分割体２２，２２が邪魔になると感じたときに、分割体２２，２２を手提部３２，３２から分離することができるので、使用感を向上させることができる。
【００４０】
次に、本考案に係る手提袋パッケージ１の製造方法について図５〜図８を参照して説明する。
【００４１】
まず、袋本体３１を、図５に示す縦横の折り目のうち２つの縦の折り目Ａ，Ｂで図６に示すように三つ折りにする。
【００４２】
次に、図７に示すように、三つ折り状態の袋本体３１を、横の折り目Ｃ…の間隔で開口部に向かって折り重ねていく。
【００４３】
そのようにして折り畳んだ複数の袋本体３１を、図８に示すように、パッケージ体２を構成する上下一対のフィルム２６，２７で挟むとともに、これらフィルム２６，２７の相対向する縁部（上記連結部２５に相当）同士を手提部３２，３２共々ヒートシールする。
【００４４】
そして最後に、所定の間隔でフィルム２６，２７の進行方向と直交する方向にフィルム２６，２７を溶断し、手提袋パッケージ１を得る。
【００４５】
なお、上記の製造方法はあくまで一例であって、これに限定されるものではない。
【符号の説明】
【００４６】
１      手提袋パッケージ
２      パッケージ体
２１  破断部
２２  分割体
３      手提袋
３１  袋本体
３２  手提部
【図１】
0003156029.tif 000003
【図２】
0003156029.tif 000004
【図３】
0003156029.tif 000005
【図４】
0003156029.tif 000006
【図５】
0003156029.tif 000007
【図６】
0003156029.tif 000008
【図７】
0003156029.tif 000009
【図８】
0003156029.tif 000010
【図９】
0003156029.tif 000011